(57)【要約】      （修正有）【課題】爪に塗布した光硬化性樹脂を硬化する場合に、挿入した手の５本の爪の位置および硬化状態に対応して光を照射し、効率的に光硬化性樹脂を硬化することができる爪施術装置を提供する。【解決手段】爪に塗布した光硬化性樹脂を硬化する、略ドーム形状の爪施術装置１００であって、略半球形状の蓋部材１１と、蓋部材１１を載置する基台部材１２とを有し、蓋部材１１は、爪を施術するときに手を挿入する開口部１３と、該爪に光を照射する複数の発光部と、を備え、複数の発光部は、蓋部材１１の略半球形状の内面に配置され、施術するときに挿入した手の５本の爪の位置に対応する位置に夫々配置されている。【選択図】図１
0003210973.tif 000002
【実用新案登録請求の範囲】
【請求項１】
爪に塗布した光硬化性樹脂を硬化する、略ドーム形状の爪施術装置であって、
略半球形状の蓋部材と、
前記蓋部材を載置する基台部材と
を有し、
前記蓋部材は、前記爪を施術するときに手を挿入する開口部と、該爪に光を照射する複数の発光部と、を備え、
複数の前記発光部は、前記蓋部材の略半球形状の内面に配置され、施術するときに挿入した前記手の５本の前記爪の位置に対応する位置に夫々配置されている、
ことを特徴とする爪施術装置。
【請求項２】
前記基台部材は、前記開口部と対向する位置に、前記発光部の出力を選定する複数のボタン選定部を備え、
複数の前記ボタン選定部の少なくとも１つは、前記発光部の出力を所望の出力に時間的に変化する制御ボタンである、
ことを特徴とする、請求項１に記載の爪施術装置。
【請求項３】
複数の前記発光部は、ＬＥＤまたは発光ダイオードである、
ことを特徴とする、請求項１または請求項２に記載の爪施術装置。
【考案の詳細な説明】
【技術分野】
【０００１】
本考案は、爪に塗布した光硬化性樹脂を硬化する爪施術装置に関する。
【背景技術】
【０００２】
特許文献１では、被照射対象物を挿入する挿入口及び該挿入口から挿入された前記被照射対象物を配置する配置室を形成した配置室形成部材と、前記配置室にパルス光を発する発光部と、を備え、前記配置室形成部材は、前記被照射対象物を載置する載置台を含み、該載置台は、光沢を有する載置面であって、黒色系の色を有する載置面を備えることを特徴とする樹脂硬化装置に関する技術を開示している。
【先行技術文献】
【特許文献】
【０００３】
【特許文献１】特開２０１５-１８１４８４号公報
【考案の概要】
【考案が解決しようとする課題】
【０００４】
しかしながら、特許文献１に開示されている技術では、爪に塗布した光硬化性樹脂を硬化する場合に、挿入した手の５本の爪の位置に対応して効率的に光を照射できない場合がある。また、特許文献１には、光硬化性樹脂の硬化状態に対応して、照射する光を制御する技術に関する記載がない。
【０００５】
本考案は、爪に塗布した光硬化性樹脂を硬化する場合に、挿入した手の５本の爪の位置および硬化状態に対応して光を照射し、効率的に光硬化性樹脂を硬化することができる爪施術装置を提供することを目的とする。
【課題を解決するための手段】
【０００６】
上記課題を解決するために、本考案の一つの実施形態は、爪に塗布した光硬化性樹脂を硬化する、略ドーム形状の爪施術装置であって、略半球形状の蓋部材と、前記蓋部材を載置する基台部材とを有し、前記蓋部材は、前記爪を施術するときに手を挿入する開口部と、該爪に光を照射する複数の発光部と、を備え、複数の前記発光部は、前記蓋部材の略半球形状の内面に配置され、施術するときに挿入した前記手の５本の前記爪の位置に対応する位置に夫々配置されている、ことを特徴とする爪施術装置を提供する。
【０００７】
本考案の他の実施形態は、上記の爪施術装置であって、前記基台部材は、前記開口部と対向する位置に、前記発光部の出力を選定する複数のボタン選定部を備え、複数の前記ボタン選定部の少なくとも１つは、前記発光部の出力を所望の出力に時間的に変化する制御ボタンである、ことを特徴とする爪施術装置であってもよい。
【０００８】
本考案の他の実施形態は、上記のいずれかの爪施術装置であって、複数の前記発光部は、ＬＥＤまたは発光ダイオードである、ことを特徴とする爪施術装置であってもよい。
【考案の効果】
【０００９】
本考案に係る爪施術装置によれば、爪に塗布した光硬化性樹脂を硬化する場合に、挿入した手の５本の爪の位置および硬化状態に対応して光を照射し、効率的に光硬化性樹脂を硬化することができる。
【図面の簡単な説明】
【００１０】
【図１】本考案の実施形態に係る爪施術装置の一例を説明する概略斜視図である。
【図２】本考案の実施形態に係る爪施術装置の一例を説明する概略背面図である。
【図３】本考案の実施形態に係る爪施術装置の蓋部材の発光部の一例を説明する概略斜視図である。
【図４】本考案の実施形態に係る爪施術装置の発光部の照射時間に対する発熱の一例を説明する説明図である。
【考案を実施するための形態】
【００１１】
実施形態に係る爪施術装置の例を用いて、本考案を説明する。なお、本考案は、以後に説明する爪施術装置以外でも、光硬化性の樹脂、液体又はジェルを爪の表面で硬化する装置であって、光を照射する位置や光の出力を調整しながら硬化（施術）するものであれば、いずれのものにも用いることができる。なお、爪施術装置の素材、色は、特に限定されない。爪施術装置の表面は、広告表示や消費者の趣味趣向に合わせた柄であってもよい。
【００１２】
以後に、本考案を説明する。
【００１３】
図１乃至図４を用いて、本考案の実施形態に係る爪施術装置の構成を説明する。ここで、図１は、本考案の実施形態に係る爪施術装置１００の一例を説明する概略斜視図である。図２は、本考案の実施形態に係る爪施術装置１０のボタン選定部１４の一例を説明する概略背面図である。図３は、本考案の実施形態に係る爪施術装置１００の蓋部材１１の発光部（２１〜２５，３１〜３５，４１，４２）の一例を説明する概略斜視図である。図４は、本考案の実施形態に係る爪施術装置の発光部の照射時間に対する発熱の一例を説明する説明図である。なお、図１に示す爪施術装置の構成等は一例であり、本考案は図１に示す爪施術装置等に限定されるものではない。
【００１４】
図１および図２に示すように、本考案に係る爪施術装置１００は、爪に塗布した光硬化性樹脂を硬化するもの（装置、機器など）である。図３に示すように、蓋部材１１は、爪を施術するときに手を挿入する開口部１３（図１）と、爪に光を照射する複数の発光部（２１〜２５，３１〜３５，４１，４２）と、を備える。図２に示すように、基台部材１２は、開口部１３と対向する位置に、発光部（２１〜２５等）の出力を選定する複数のボタン選定部１４を備える。
【００１５】
図２に示すように、複数のボタン選定部１４の少なくとも１つは、発光部（図３の２１〜２５等）の出力を所望の出力に時間的に変化する制御ボタン（図中の３５ｓ）である。また、複数のボタン選定部１４は、電源ボタン、出力ボタン（高出力、中出力、低出力）などであってもよい。これにより、本考案に係る爪施術装置１００によれば、爪に塗布した光硬化性樹脂を硬化する場合に、使用者の選択に依って、挿入した手の５本の爪の硬化状態に対応して、照射する光の出力を調整でき、効率的に光硬化性樹脂を硬化することができる。
【００１６】
また、本考案に係る爪施術装置１００は、制御ボタンを用いて、発光部（図３の２１〜２５等）の出力を所望の出力に時間的に変化することができる。ここで、所望の出力とは、最初３０％の出力で１５秒間光を照射し、その後自動で５０％に出力が上がり、更にその後１０秒間光を照射したのちに、１００％の出力で１０秒間光を照射して切れる設定であってもよい。これにより、本考案に係る爪施術装置１００によれば、従来の最初から１００％の高出力で光を照射する場合と比較して、光硬化樹脂の反応熱を低減することができる。例えば図４に示すように、従来の最初から１００％の高出力で光を照射する場合（図中のＢ）と比較して、本考案に係る爪施術装置１００（図中のＡ）は光硬化樹脂の反応熱を低減することができる。
【００１７】
図３に示すように、複数の発光部（２１〜２５，３１〜３５，４１，４２）は、蓋部材１１の略半球形状の内面に配置される。発光部（２１〜２５，３１〜３５，４１，４２）は、ＬＥＤ、発光ダイオードなどの公知の技術を利用することができる。複数の発光部（２１〜２５等）は、施術するときに挿入した手の５本の前記爪の位置に対応する位置に夫々配置されている。これにより、本考案に係る爪施術装置１００によれば、爪に塗布した光硬化性樹脂を硬化する場合に、挿入した手の５本の爪の位置に対応して、光を照射でき、効率的に光硬化性樹脂を硬化することができる。
【００１８】
以上のとおり、本考案に係る爪施術装置によれば、爪に塗布した光硬化性樹脂を硬化する場合に、挿入した手の５本の爪の位置および硬化状態に対応して光を照射し、効率的に光硬化性樹脂を硬化することができる。
【００１９】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２０】
１００  ：  爪施術装置
１１  ：  蓋部材
１２  ：  基台部材
１３  ：  開口部
１４  ：  ボタン選定部（電源ボタン、制御ボタン、出力ボタンなど）
２１〜２５，３１〜３５，４１，４２  ：  発光部（ＬＥＤ、発光ダイオードなど）
【図１】
0003210973.tif 000003
【図２】
0003210973.tif 000004
【図３】
0003210973.tif 000005
【図４】
0003210973.tif 000006